(57)【要約】【課題】本発明は、照明の為の消費電力を少なくするようにした照明機能付携帯電話を提供することを目的とする。【解決手段】マイクロコンピュータ３０が電子メールの実行中で、設定時間毎の割り込み処理で、文字・数字入力モードでないと判定したとき、トランジスタ２０をオフし、発光ダイオード７ｃ〜７ｆを消灯させる。従って、操作に必要なテンキー（文字・数字入力キー）３ｄ〜３ｎ、３ｐの照明が停止されるので、照明の為の消費電力を少なくすることができる。【選択図】図３
2006262533.tif 000002
【特許請求の範囲】
【請求項１】
複数のキーを有する操作部と、
前記操作部を照明するキー照明部と、
前記操作部の操作に応じて情報を表示する表示部と、
前記表示部を照明する表示照明部とを備え、電池により動作する照明機能付き携帯電話機であって、
前記表示部に表示されるための情報を外部から受信している間は、前記表示照明部の点灯を維持するとともに、この維持の間に前記キー照明部の照明のみを自動的に終了する制御手段を有することを特徴とする携帯電話機。
【請求項２】
前記制御手段は、前記情報を受信するための前記操作部による操作が行われると、前記キー照明部と前記表示照明部の照明を開始し、
前記自動的に終了するタイミングは、前記情報を受信するための前記操作部による操作が行われてから所定時間経過したと判定したときであることを特徴とする請求項１記載の携帯電話機。
【発明の詳細な説明】
【技術分野】
【０００１】
本発明は、携帯機器に関し、特に、操作部及び表示部への照明機能が付いた携帯電話に関する。
【背景技術】
【０００２】
図１１、図１２を参照して携帯電話の照明機能について説明する。図１１は携帯電話の外形を示す斜視図、図１２は図１１中の携帯電話の正面側カバー１を外した携帯電話本体２の正面図である。
【０００３】
図１１に示す正面側カバー１には、矢印キー３ａ、３ｂ、確定キー３ｃ、テンキー（文字・数字入力キー）３ｄ〜３ｎ、３ｐが配設され、図１２に示す携帯電話本体２には、液晶パネル４、キー３ａ〜３ｎ、３ｐの接点部６ａ〜６ｎ、６ｐ及び発光ダイオード７ａ〜７ｆがそれぞれ配設されている。
【０００４】
ここで、発光ダイオード７ａ、７ｂは、液晶パネル４及び矢印キー３ａ、３ｂ、確定キー３ｃを照明する為のもので、発光ダイオード７ｃ〜７ｆは、テンキー３ｄ〜３ｎ、３ｐを照明する為のものである。なお、操作部は、矢印キー３ａ、３ｂ、確定キー３ｃ及びテンキー３ｄ〜３ｎ、３ｐから構成され、照明部は、発光ダイオード７ａ〜７ｆから構成されている。
【０００５】
次に、発光ダイオード７ａ〜７ｆを点灯する為の電気回路構成を図１３を参照して説明する。
【０００６】
発光ダイオード７ａ〜７ｆは、各々、電源とトランジスタ８との間に並列に接続され、トランジスタ８は、マイクロコンピュータ９によって制御されて、発光ダイオード７ａ〜７ｆの全てを点灯或いは消灯させる。また、マイクロコンピュータ９は、トランジスタ８の駆動処理を行う。
【０００７】
以下、マイクロコンピュータ９におけるトランジスタ８の駆動処理を、図１４に示すフローチャートに従って説明する。
【０００８】
先ず、携帯電話の状態をマイクロコンピュータ９のメモリから読み込み（ステップ１００）、「待受け中」であるか否かを判定（ステップ１１０）し、「待受け中」でないとき、ＮＯと判定してステップ１２０に進む。ステップ１２０で、キー操作終了後１０秒経過したか否かを判定し、キー操作終了後１０秒経過していないとき、ＮＯと判定してステップ１３０に進む。
【０００９】
ステップ１３０で、トランジスタ８をオンさせ、発光ダイオード７ａ〜７ｆを点灯させる。このことにより、キー３ａ〜３ｎ、３ｐ及び液晶パネル４への照明が開始する。
【００１０】
また、ステップ１２０で、キー操作終了後１０秒経過しているとき、ＹＥＳと判定してステップ１４０に進む。ステップ１４０で、トランジスタ８をオフさせ、発光ダイオード７ａ〜７ｆを消灯させる。このことにより、キー３ａ〜３ｎ、３ｐ及び液晶パネル４への照明が停止する。
【発明の開示】
【発明が解決しようとする課題】
【００１１】
ところで、例えば、文字情報を液晶パネルによって表示する文字情報表示モード（例えば、電子メール、銀行口座の残高照会等のようなｉモード）を有する携帯電話では、文字情報表示モードの操作を行うにあたり、キー３ａ〜３ｎ、３ｐへの操作が頻繁に行われる。
【００１２】
このため、液晶パネル４及びキー３ａ〜３ｎ、３ｐの双方への照明を、上述の如く、「待受け中」か否かとか、キー操作終了後１０秒経過したか否かとかいった判定に基づいて行うと、液晶パネル４及びキー３ａ〜３ｎ、３ｐの双方への照明が同時に開始、或いは停止するだけで、液晶パネル４及びキー３ａ〜３ｎ、３ｐの双方への照明時間が長くなる。従って、液晶パネル４及びキー３ａ〜３ｎ、３ｐの照明の為の消費電力が増え、携帯電話に内蔵された電池の稼働可能時間が短くなるという不具合が生じる。
【００１３】
そこで、本発明は、上記点に鑑み、照明の為の消費電力を少なくするようにした携帯電話を提供することを目的とする。
【課題を解決するための手段】
【００１４】
本発明は、上記目的を達成するために、請求項１記載の発明では、複数のキーを有する操作部と、前記操作部を照明するキー照明部と、前記操作部の操作に応じて情報を表示する表示部と、前記表示部を照明する表示照明部とを備え、電池により動作する照明機能付き携帯電話機であって、前記表示部に表示されるための情報を外部から受信している間は、前記表示照明部の点灯を維持するとともに、この維持の間に前記キー照明部の照明のみを自動的に終了する制御手段を有することを特徴としている。
【発明の効果】
【００１５】
請求項１記載の発明では、照明の為の消費電力の低減を効果的に行うことができる。
【発明を実施するための最良の形態】
【００１６】
（第１実施形態）
図１に本発明に係る携帯電話の第１実施形態を示す。図１は携帯電話の正面図である。図１において、携帯電話は、ケース１０、キー操作部２０、表示部３０、及びタッチセンサー４０から構成され、キー操作部２０は、電源キー、テンキー等の複数の操作キーから構成されたもので、ケース１０の正面ケース部１１に配設されている。液晶パネル（表示部）３０は、ケース１０の正面ケース部１１の開口部１２の内側に配置されて、各種情報を表示する。タッチセンサー４０は、一対のセンサー素子４１、４２を有しており、センサー素子４１は、ケース１０の左側面１３ｂに配置され、センサー素子４２は、ケース１０の右側面１３ａに配置されている。タッチセンサー４０は、センサー素子４１、４２の双方が使用者にタッチされることで、使用者によるタッチ操作を検出する。
【００１７】
次に、携帯電話の電気回路構成につき図２を参照して説明する。図２は携帯電話の概略構成を示すブロック図である。携帯電話は、図２に示すように、マイク５０、レシーバ５１、音声回路５２、無線部５３、アンテナ５４、記憶部（メモリ）５５、表示照明部５６、操作照明部５７、二次電池５８、及びマイクロコンピュータ５９を有する。マイク５０は、使用者の音声を送話音声信号に変換して音声回路５２に出力し、レシーバ５１は、音声回路５２からの受話音声信号に基づいて、通話相手からの受話音声を出力する。
【００１８】
音声回路５２は、無線部５３からの復調信号を受話音声信号に変換してレシーバ５１から出力させる一方、マイク５０からの送話音声信号を送信信号に変換し無線部５３に出力する。無線部５３は、基地局からアンテナ５４を介して受信した受信信号を復調信号に変換して音声回路５２に出力する一方、音声回路５２からの送信信号を変調して変調信号をアンテナ５４を介して基地局に送信する。記憶部５５は、各種データ、コンピュータプログラムを保持する。
【００１９】
表示照明部５６は、マイクロコンピュータ５９により制御されて、液晶パネル３０を照明し、操作照明部５７は、マイクロコンピュータ５９により制御されて、キー操作部２０を照明する。二次電池５８は、音声回路５２、無線部５３、記憶部（メモリ）５５、表示照明部５６、操作照明部５７及びマイクロコンピュータ５９等に電力を供給する。マイクロコンピュータ５９は、電話の発着呼処理、インターネット機能、カラオケ機能処理、バックライト処理等を行う。
【００２０】
ここで、バックライト処理は、インターネット機能処理の実行中において、所定期間毎の割り込み処理として行われる。以下、マイクロコンピュータ５９におけるバックライト処理につき説明する。マイクロコンピュータ５９は、図３に示すフロチャートに従って、バックライト処理を行う。先ず、キー操作部２０への操作が行われたか否かを判定し（ステップ２００）、キー操作部２０への操作が行われたとき、ステップ２１０に進んで、表示照明部５６及び操作照明部５７を駆動する。このため、表示照明部５６は、液晶パネル３０の照明を開始するとともに、操作照明部５７は、キー操作部２０の照明を開始する。
【００２１】
次に、液晶パネル３０及びキー操作部２０の照明を開始してから一定期間経過したか否かを判定し（ステップ２２０）、液晶パネル３０及びキー操作部２０の照明を開始してから一定期間経過したとき、ステップ２３０に進んで、液晶パネル３０による表示が変化しているか否かを判定する。ここで、記憶部５５において、液晶パネル３０の表示変化のフラグ（以下、表示変化フラグという）がセットしているとき、液晶パネル３０による表示が変化していると判定し、ステップ２４０で、操作照明部５７によるキー操作部２０の照明を停止する。
【００２２】
次に、液晶パネル３０による表示の変化が終了したか否かを判定し（ステップ２５０）、記憶部５５の表示変化フラグがリセットしているとき、液晶パネル３０による表示の変化が終了したと判定し、ステップ２６０で、一定期間後、表示照明部５６による液晶パネル３０の照明を停止する。
【００２３】
次に、タッチセンサ４０がタッチ操作されたか否かを判定し（ステップ２７０）、タッチ操作されたとき、ステップ２１０に進む。この結果、上述と同様に、表示照明部５６及び操作照明部５７を駆動する。このため、表示照明部５６は、液晶パネル３０の照明を開始するとともに、操作照明部５７は、キー操作部２０の照明を開始する。
【００２４】
次に、ステップ２７０で、タッチセンサ４０がタッチ操作されていないとき、ステップ２８０に進んで、キー操作部２０が操作されたか否かを判定する。ここで、キー操作部２０が操作されたとき、ステップ２１０に進む。このため、上述と同様に、表示照明部５６によって、液晶パネル３０の照明を開始するとともに、操作照明部５７によって、キー操作部２０の照明を開始する。なお、ステップ２８０で、キー操作部２０が操作されないとき、ステップ２７０に進む。
【００２５】
以下、インターネット機能処理として、「ニュースの閲覧」を取り上げ、「ニュースの閲覧」の為の情報受信処理（ダウンロード）からニュースのメニュー表示処理迄における液晶パネル３０及びキー操作部２０の照明について図４を参照して説明する。
【００２６】
先ず、電源オンの状態で、キー操作部２０への所定操作が行われると、サーバ側（基地局）からニュースデータの情報受信を開始する。情報受信中において、液晶パネル３０は、図４（ａ）に示す画面と、図４（ｂ）に示す画面とを、交互に、表示する。即ち、キャラクタ３０ａが変化し、記憶部５５の表示変化フラグは、セットする。ここで、液晶パネル３０は照明されるとともに、キー操作部２０は照明される。なお、液晶パネル３０によって図４（ａ）、（ｂ）に示す画面とを表示させる処理は、インターネット機能処理として、記憶部（メモリ）５５に保持されている。
【００２７】
次に、一定期間が経過し、情報受信が継続しているときには、図４（ｃ）、（ｄ）に示すように、キャラクタ３０ａが変化している状態となっていると、液晶パネル３０は照明されるものの、キー操作部２０の照明は停止する。
【００２８】
次に、情報受信が終了すると、液晶パネル３０は、図４（ｅ）に示すように、ニュースのメニューを表示する。ここで、液晶パネル３０によるキャラクタ３０ａの変化が終了し、表示変化フラグは、リセットしているので、キー操作部２０の照明の停止に加えて、液晶パネル３０の照明は一定期間後停止される。その後、使用者によってタッチセンサー４０がタッチ操作されると、図４（ｆ）に示すように、液晶パネル３０は、照明されるとともに、キー操作部２０は照明される。
【００２９】
以上により、「ニュースの閲覧」の為の情報受信時において、キー操作部２０への操作が必要がない。このため、情報受信の開始から一定期間迄は、液晶パネル３０及びキー操作部２０は、照明されものの、一定期間以降では、キャラクタ３０ａの変化が終了するまで、液晶パネル３０の照明は維持される一方で、キー操作部２０の照明は停止される。このように、キー操作部２０の照明が停止されるので、照明の為の消費電力を少なくすることができる。
【００３０】
ここで、情報受信が、長期間に亘って行われたときには、照明の為の消費電力の低減を効果的に行うことができる。特に、液晶パネル３０としてカラー液晶パネルが採用されたときには、過大な電力を消費するため、消費電力の低減にあたり、上述の如く、キャラクタ３０ａの変化に応じてキー操作部２０の照明を停止することは、好適である。また、キャラクタ３０ａの変化の終了後一定期間経過すれば、キー操作部２０の照明の停止に加えて、液晶パネル３０の照明は停止されるため、照明の為の消費電力を、より、一層、少なくすることができる。
【００３１】
また、特開平１１−１５４９００号公報に示すように、液晶パネル及びキー操作部の一方の照明を禁止するように予め設定できるものがあるものの、例えば、キー操作部の照明を予め禁止すると、夜間等の周囲が暗いときには、操作性が悪くなる。これに対して、本第１実施形態では、上述の如く、キー操作部２０及び液晶パネル３０の双方の照明が停止された後、タッチセンサー４０へのタッチ操作、若しくは、キー操作部２０への操作が成されると、キー操作部２０及び液晶パネル３０の双方の照明が開始するので、携帯電話における良好な操作性を確保できる。
【００３２】
なお、本発明の実施にあたり、情報受信の実行中において、液晶パネル３０による表示の変化（キャラクタ３０ａの変化）に応じて、キー操作部２０及び液晶パネル３０の双方の照明の制御を行うことに限らず、情報受信後において、サーバ側からの受信情報に応じて液晶パネル３０による表示（例えば、文字、絵）を変化させ、この表示の変化に応じて、キー操作部２０及び液晶パネル３０の双方の照明の制御を行うようにしてもよい。
【００３３】
また、本発明の実施にあたり、携帯電話では、インターネット機能処理に関わりなく、予め、表示を変化させる処理を有しており、この表示変化に応じてキー操作部２０及び液晶パネル３０の双方の照明の制御を行うようにしてもよい。
【００３４】
なお、本発明の実施にあたり、ダウンロード（情報受信）中において、液晶パネル３０（表示部）を照明するとともにキー操作部２０の照明を停止ようにしてもよい。
【００３５】
さらに、上記第１実施形態では、液晶パネル３０（表示部）の表示変化としては、キャラクタ３０ａの変化（すなわち、動画）を適用した例について説明したが、これに限らず、文字表示の変化を採用してもよい。
【００３６】
（第２実施形態）
上記第１実施形態では、インターネット機能処理の実行中におけるバックライト処理につき説明したが、これに限らず、以下のように、カラオケ機能の実行中において、バックライト処理を実施してもよい。以下、第２実施形態のバックライト処理に先立って、カラオケ機能の処理につき説明する。但し、記憶部５５には、カラオケ動作を示すフラグ（以下、カラオケフラグＫＡという）が採用されている。また、記憶部５５には、カラオケ音楽データが保持され、カラオケ音楽データは、音楽データと歌詞データから構成されている。なお、カラオケ音楽データは、インターネット機能処理によって、配信されたものである。
【００３７】
本第２実施形態では、マイクロコンピュータ５９は、図５に示すフローチャートに従って、カラオケ機能の処理を行う。先ず、待ち受け中において、キー操作部２０への所定操作に応じて、カラオケ音楽としての曲が選択されて、カラオケ機能が開始させる。
【００３８】
次に、ステップ３００で、カラオケフラグＫＡをセットし（ＫＡ＝１）、記憶部５５からカラオケ音楽データを読み込み（ステップ３１０）、カラオケ音楽データの音楽データに基づいて音声回路５２を駆動する。このため、音声回路５２は、レシーバ５１からカラオケ音楽を出力する。これに伴い、カラオケ音楽データの歌詞データに基づいて液晶パネル３０を駆動する（ステップ３３０）。これにより、液晶パネル３０は、カラオケ音楽の出力に応じて、歌詞を表示する。
【００３９】
次に、カラオケ音楽としての曲が終了したか否かを判定し（ステップ３４０）、カラオケ音楽としての曲が終了していないとき、ステップ３１０に進む。また、ステップ３４０で、カラオケ音楽としての曲が終了したとき、ステップ３５０に進み、カラオケフラグＫＡをリセットする（ＫＡ＝０）。
【００４０】
以下に、カラオケ機能の実行中におけるバックライト処理につき図６を参照して説明する。本第２実施形態のバックライト処理としては、図３に示すフローチャートに代えて、図６に示すフローチャートが採用されている。図６に示すステップ２１０、２２０、２６０は、図３に示すステップ２１０、２２０、２６０と同一である。ここで、バックライト処理は、カラオケ機能の実行中において、所定期間毎の割り込み処理として行われる。マイクロコンピュータ５９は、図６に示すフローチャートに従って、バックライト処理を行う。
【００４１】
先ず、ステップ２１０で、表示照明部５６によって、液晶パネル３０の照明を開始させるとともに、操作照明部５７によって、キー操作部２０の照明を開始させる。そして、液晶パネル３０及びキー操作部２０の照明を開始してから一定期間経過したか否かを判定し（ステップ２２０）、液晶パネル３０及びキー操作部２０の照明を開始してから一定期間経過したとき、ステップ２２１に進んで、操作照明部５７の駆動を停止する。このため、操作照明部５７によるキー操作部２０の照明は停止される。例えば、液晶パネル３０で歌詞データが表示されてから一定期間後、操作照明部５７の駆動を停止する。
【００４２】
次に、カラオケフラグＫＡの状態に応じて、カラオケ音楽としての曲が終了したか否かを判定し（ステップ２２３）、カラオケフラグＫＡがセットしているとき、カラオケ音楽としての曲が終了していないと判定して、ステップ２２４に進む。
【００４３】
次に、タッチセンサ４０がタッチ操作されたか否かを判定し（ステップ２２４）、タッチ操作されたとき、ステップ２１０に進んで、上述と同様に、表示照明部５６によって液晶パネル３０の照明を開始させるとともに、操作照明部５７によって、キー操作部２０の照明を開始させる。
【００４４】
次に、ステップ２２４で、タッチセンサ４０がタッチ操作されていないとき、ステップ２２５に進んで、キー操作部２０が操作されたか否かを判定する。ここで、キー操作部２０が操作されたとき、ステップ２１０に進む。また、ステップ２２５で、キー操作部２０が操作されないとき、ステップ２２３に進む。
【００４５】
以上により、カラオケ機能の実行中において、カラオケ機能の開始から一定期間迄は、液晶パネル３０及びキー操作部２０は、照明されものの、一定期間以降で、カラオケ音楽の曲が終了するまで、液晶パネル３０の照明は維持される一方、キー操作部２０の照明は停止される。これにより、液晶パネル３０によって歌詞を表示している状態では、液晶パネル３０は照明されるので、歌詞の表示の視認性を確保しつつ、照明の為の消費電力を少なくすることができる。
【００４６】
また、キー操作部２０及び液晶パネル３０の双方の照明が停止された後、本第１実施形態と同様に、タッチセンサー４０へのタッチ操作、若しくは、キー操作部２０への操作が成されると、キー操作部２０及び液晶パネル３０の双方の照明が開始される。
【００４７】
なお、本発明の実施にあたり、カラオケ機能として使用者の歌声を検出し、この検出した歌声をカラオケ音楽に重ねてレシーバ５１（或いはイヤホン）から出力するようにしてもよい。
【００４８】
さらに、上記第２実施形態では、カラオケ音楽を出力している間、液晶パネル３０を照明するようにした例につき説明したが、これに限らず、液晶パネル３０が歌詞を表示している間、液晶パネル３０を照明するようにしてもよい。
【００４９】
（第３実施形態）
以下、本発明を図に示す第３実施形態について説明する。本第３実施形態における照明機能付携帯電話としては、図１１に示すキー３ａ〜３ｎ、３ｐ、液晶パネル４及び発光ダイオード７ｃ〜７ｆが採用されている。但し、本第３実施形態では、発光ダイオード７ａ〜７ｆを点灯する為の電気回路構成として、図１３に示す構成とは異なる電気回路構成が採用されている。なお、照明機能付携帯電話は、内蔵された電池によって動作する。
【００５０】
以下、本実施形態における発光ダイオード７ａ〜７ｆを点灯する為の電気回路構成を図７を参照して説明する。
【００５１】
図７に示すトランジスタ１０と電源との間に発光ダイオード７ａ、７ｂが並列に接続され、トランジスタ１０は、後述するマイクロコンピュータ３０によって制御されて、発光ダイオード７ａ、７ｂの双方を点灯或いは消灯させる。
【００５２】
トランジスタ２０と電源との間には、発光ダイオード７ｃ〜７ｆが並列に接続され、トランジスタ２０は、マイクロコンピュータ３０によって制御されて、発光ダイオード７ｃ〜７ｆの全てを点灯或いは消灯させる。
【００５３】
マイクロコンピュータ３０は、メインルーチンで、通話の為の送受信処理、文字情報表示モード（コンテンツ参照機能）の処理を行うとともに、設定時間（＜＜１０ｓｅｃ）毎の割り込み処理で、図８に示すフローチャートに従ってトランジスタ１０、２０の駆動処理（照明機能の為の）を行う。但し、図８中のステップ１００〜１２０は、図１４中のステップ１００〜１２０と同一である。
【００５４】
次に、マイクロコンピュータ３０におけるトランジスタ１０、２０の駆動処理を図２に示すフローチャートに従って説明する。
【００５５】
先ず、ステップ１００〜１２０の処理を行った後、「文字・数字入力モード」であるか否かを判定する（ステップ１５０）。
【００５６】
ここで、マイクロコンピュータ３０のメモリにおいて、「文字・数字入力モード」のフラグ（以下、文字入力フラグという）がセットしているとき、ＹＥＳと判定し、ステップ１６０で、トランジスタ１０をオンさせる。
【００５７】
このことにより、発光ダイオード７ａ、７ｂが点灯し、矢印キー３ａ、３ｂ及び確定キー３ｃが照明される。
【００５８】
ついで、トランジスタ２０をオンさせる（ステップ１６１）。このことにより、発光ダイオード７ｃ〜７ｆが点灯し、テンキー（文字・数字入力キー）３ｄ〜３ｎ、３ｐが照明される。
【００５９】
また、ステップ１５０で、マイクロコンピュータ３０のメモリにおいて、文字入力フラグがリセットしているとき、ＮＯと判定し、ステップ１７０で、トランジスタ１０をオンさせる。
【００６０】
このことにより、発光ダイオード７ａ、７ｂが点灯し、矢印キー３ａ、３ｂ及び確定キー３ｃが照明される。
【００６１】
ついで、トランジスタ２０をオフさせる（ステップ１７１）。このことにより、発光ダイオード７ｃ〜７ｆが消灯し、テンキー（文字・数字入力キー）３ｄ〜３ｎ、３ｐの照明が停止される。
【００６２】
以下、文字情報表示モードの一例として電子メールを取り上げ、この電子メールの送信操作時における液晶パネル４及びキー３ａ〜３ｎ、３ｐの照明について図９、図１０を参照して説明する。図９、図１０は、電子メールの送信操作時における液晶パネル４の表示を示す。
【００６３】
先ず、電源のオン状態で、確定キー３ｃを押すと、図９に示すように、液晶パネル４に文字情報表示モードの「Ｍｅｎｕの画面」が表示される。
【００６４】
ここで、マイクロコンピュータ３０のメモリにおいて、文字入力フラグがリセットされており、液晶パネル４、矢印キー３ａ、３ｂ及び確定キー３ｃが照明されるものの、テンキー（文字・数字入力キー）３ｄ〜３ｎ、３ｐの照明が停止されている。
【００６５】
次に、矢印キー３ａを押して液晶パネル４に「メール作成」を反転表示させた後、確定キー３ｃを押すと、文字情報表示モードの「Ｍｅｎｕ」のうち「メール作成」（電子メールの送信モード）が選択される。
【００６６】
次に、確定キー３ｃを押した後、矢印キー３ａを押して液晶パネル４の画面をスクロールさせて液晶パネル４に「宛先編集位置の選択の画面」を表示させる。
【００６７】
次に、確定キー３ｃを押すと、液晶パネル４には「宛先編集の画面」が表示されるとともに「文字・数字入力モード」が実行される。ここで、マイクロコンピュータ３０のメモリにおいて、文字入力フラグがセットされ、テンキー（文字・数字入力キー）３ｄ〜３ｎ、３ｐが照明される。
【００６８】
次に、「宛先編集」として、テンキー（文字・数字入力キー）３ｄ〜３ｎ、３ｐを押して「宛先」を入力した後、確定キー３ｃを押すと、マイクロコンピュータ３０のメモリにおいて、文字入力フラグがリセットされ、テンキー（文字・数字入力キー）３ｄ〜３ｎの照明が停止される。
【００６９】
次に、確定キー３ｃを押した後、矢印キー３ａを押して液晶パネル４の画面をスクロールさせて液晶パネル４に「本文の編集位置の選択の画面」を表示させる。
【００７０】
次に、確定キー３ｃを押すと、図１０に示すように、液晶パネル４には「本文編集の画面」が表示されるとともに「文字・数字入力モード」が実行され、マイクロコンピュータ３０のメモリにおいて、文字入力フラグがセットされ、テンキー（文字・数字入力キー）３ｄ〜３ｎ、３ｐが照明される。
【００７１】
次に、「本文編集」として、テンキー（文字・数字入力キー）３ｄ〜３ｎ、３ｐを押して「本文」を入力した後、確定キー３ｃを押すと、液晶パネル４には「本文確定の画面」が表示される。
【００７２】
ここで、マイクロコンピュータ３０のメモリにおいては、文字入力フラグがリセットされ、テンキー（文字・数字入力キー）３ｄ〜３ｎの照明が停止される。
【００７３】
次に、確定キー３ｃを押した後、矢印キー３ａを押して液晶パネル４の画面をスクロールさせて液晶パネル４に「送信画面」を表示させる。さらに、確定キー３ｃを押すと電子メールが送信される。
【００７４】
以上により、電子メールの送信操作時において、「文字・数字入力モード」が実行されていないとき、テンキー（文字・数字入力キー）３ｄ〜３ｎの照明が停止されるので、照明の為の消費電力を少なくすることができる。
【００７５】
なお、本発明の実施にあたり、照明機能付携帯電話に限らず、例えば、ＰＨＳ若しくは、モバイル機器といった携帯用コンピュータに適用してもよい。
【００７６】
なお、本発明の実施にあたり、液晶パネルとしてはカラー液晶パネルを採用してもよい。また、バックライトを必要とする表示パネルであるならば、液晶パネル以外の表示パネルを採用してもよい。
【図面の簡単な説明】
【００７７】
【図１】本発明に係る第１実施形態の携帯電話の正面図である。
【図２】上記第１実施形態での携帯電話の電気回路構成を示すブロック図である。
【図３】図２に示すマイクロコンピュータの作動を示すフローチャートである。
【図４】上記第１実施形態の作動を説明する為の図である。
【図５】本発明に係る第２実施形態のマイクロコンピュータのカラオケ機能を示すフローチャートである。
【図６】上記第２実施形態のマイクロコンピュータのバックライト処理を示すフローチャートである。
【図７】本発明の第３実施形態の照明機能を示す電気回路図である。
【図８】図７に示すマイクロコンピュータの作動を示すフローチャートである。
【図９】上記第３実施形態での電子メールの操作時の照明機能の作動の一部を説明する為の図である。
【図１０】上記電子メールの操作時の照明機能の作動の残りを説明する為の図である。
【図１１】携帯電話の外形を示す斜視図である。
【図１２】図１１に示す発光ダイオードの配置を示す模式図である。
【図１３】図１１に示す照明機能を示す電気回路図である。
【図１４】図１３に示すマイクロコンピュータの作動を示すフローチャートである。
【符号の説明】
【００７８】
３ａ、３ｂ…矢印キー、３ｄ…確定キー、３ｄ〜３ｎ、３ｐ…テンキー、４…液晶パネル、７ａ〜７ｆ…発光ダイオード、３０…マイクロコンピュータ。
【図１】
2006262533.tif 000003
【図２】
2006262533.tif 000004
【図３】
2006262533.tif 000005
【図４】
2006262533.tif 000006
【図５】
2006262533.tif 000007
【図６】
2006262533.tif 000008
【図７】
2006262533.tif 000009
【図８】
2006262533.tif 000010
【図９】
2006262533.tif 000011
【図１０】
2006262533.tif 000012
【図１１】
2006262533.tif 000013
【図１２】
2006262533.tif 000014
【図１３】
2006262533.tif 000015
【図１４】
2006262533.tif 000016